(57)【要約】      （修正有）【課題】輸送前に物品を詰め込む作業や，輸送後に物品を取り出す作業が容易な包装体を提供する。【解決手段】物品を独立して収納可能な第１収納部材１０と第２収納部材２０を備える。第１収納部材１０と第２収納部材２０のそれぞれは，上板１１，２１と，下板１２，２２と，ヒンジ部１３，２３と，左右の側縁部１４，２４と，を有している。ヒンジ部１３，２３は，上板１１，２１と下板１２，２２の一端を連結する。左右の側縁部１４，２４は，上板１１，２１と下板１２，２２がヒンジ部１３，２３において折り曲げられて互いに重なりあった状態において接着される。そして，第１収納部材１０と第２収納部材２０は，上板１１，２１又は下板１２，２２の側縁部１４，２４から延出した連結部３０によって互いに連結されている。【選択図】図１
2015077977.tif 000002
【特許請求の範囲】
【請求項１】
物品を収納可能な第１収納部材（１０）と第２収納部材（２０）と，を備える包装体（１００）であって，
前記第１収納部材（１０）及び前記第２収納部材（２０）のそれぞれは，
上板（１１，２１）と，
下板（１２，２２）と，
前記上板（１１，２１）と前記下板（１２，２２）の一端を連結するヒンジ部（１３，２３）と，
前記上板（１１，２１）と前記下板（１２，２２）が前記ヒンジ部（１３，２３）において折り曲げられて互いに重なりあった状態において，前記上板（１１，２１）と前記下板（１２，２２）が接着される左右の側縁部（１４，２４）と，を有し，
前記第１収納部材（１０）と前記第２収納部材（２０）は，
前記上板（１１，２１）又は前記下板（１２，２２）の前記側縁部（１４，２４）から延出した連結部（３０）によって互いに連結されている
包装体。
【請求項２】
前記連結部（３０）は，前記第１収納部材（１０）と前記第２収納部材（２０）とを，折り重ねることができるように連結している
請求項１に記載の包装体。
【請求項３】
前記第１収納部材（１０）及び前記第２収納部材（２０）のそれぞれは，さらに，
前記連結部（３０）とは反対側の側縁部（１４，２４）から延出した係合部（１５，２５）を，有し，
前記第１収納部材（１０）と前記第２収納部材（２０）は，前記連結部（３０）において折り重ねられた状態において，前記係合部（１５，２５）によって係合可能である
請求項２に記載の包装体。
【請求項４】
前記第１収納部材（１０）と前記第２収納部材（２０）のうち少なくともいずれか一方の前記ヒンジ部（１３）は，
前記上板（１１）と前記下板（１２）を２つ折りにして重ね合わせるための直線状の中折線（１３ａ）と，
前記上板（１１）側に向かって膨出した円弧状の折線（１３ｂ）と，
前記下板（１２）側に向かって膨出した円弧状の折線（１３ｃ）と，を有する
請求項１から請求項３のいずれかに記載の包装体。
【請求項５】
請求項１から請求項３のいずれかに記載の包装体（１００）と，
前記包装体（１００）を支持する支持体（２００）と，
前記支持体（２００）が収納される箱体（３００）と，を備え，
前記支持体（２００）は，
下側開口部（２１１）が形成された下面（２１０）と，
上側開口部（２２１）が形成された上面（２２０）と，を有し，
前記下面（２１０）は，
前記箱体（３００）の底面（３１０）の方向に向かって折り曲げられる少なくとも２つの下脚フラップ（２１２）を有し，
これにより，
前記下面（２１０）と前記上面（２２０）との間で前記包装体（１００）を挟み込んだ状態で，前記支持体（２００）を前記箱体（３００）内に収納したときに，
前記下脚フラップ（２１２）が，前記包装体（１００）と前記箱体（３００）の底面（３１０）間の空間を一定に保ち，
前記包装体（１００）に包装された物品が，前記下面（２１０）の下側開口部（２１１）及び前記上面（２２０）の上側開口部（２２１）が形成された位置において，中吊り状態で保持される
梱包箱。
【請求項６】
前記支持体（２００）の前記下面（２１０）には，前記下側開口部（２１１）の内方に向かって延出する舌片（２１３）が形成されており，
前記包装体（１００）を前記下面（２１０）に載置したときに，前記包装体（１００）の前記第１収納部材（１０）と前記第２収納部材（２０）との間には，前記舌片（２１３）を挟み込むことが可能である
請求項５に記載の梱包箱。
【発明の詳細な説明】
【技術分野】
【０００１】
本発明は，携帯電話のような精密機器等の物品を輸送するにあたり，輸送時の衝撃を緩衝し，物品を安全に輸送することのできる包装体，及び包装体が収納される梱包箱に関するものである。具体的に説明すると，本発明は，例えば携帯電話を輸送するにあたり，携帯電話の本体と電池とを別々に包装することが可能な包装体などに関するものである。
【背景技術】
【０００２】
近年では，携帯電話の普及に伴い，携帯電話の輸送の必要性が増している。例えば，携帯電話の製造メーカから家電量販店や通信事業者の直営店に輸送したり，通信販売を介して携帯電話を購入した消費者の自宅等に直接輸送することもある。また，携帯電話の修理を受け付ける事業者も最近では増えてきており，消費者は修理を依頼する携帯電話を修理事業者に郵送又は宅配し，修理された携帯電話を郵送又は宅配により受け取ることができるようになっている
【０００３】
ところで，携帯電話は衝撃に弱い精密機器であるため，その輸送を行う際には，輸送時に生じる衝撃から携帯電話を十分に保護する必要がある。このため，従来から，例えば特許文献１に示されるような物品運送用の梱包具が提案されている。
【０００４】
特許文献１に記載の梱包具は，ベースボードと，抑えシートとを有し，物品を収納して外箱内に格納する物品運送用梱包具に関する。特許文献１の梱包具では，物品を，ベースボードと抑えシートの間に差込み，両立下り部分の脚部分をベースボードの端縁から下向きに直角に折り曲げた後，底部分を水平に折り返し，さらに立ち上り部分をベースボードの両側縁から上向きに折り返す。これにより，各開口を基端として各折り曲げ線に沿って正確に折曲されて定形に組み上げられ，ベースボードと底部分間には，脚部分の相当する高さの緩衝空間が形成されるようになっている。また，上記の要領で物品を収納した梱包具を外箱に格納したときには，収納物品の両側，すなわち脚部分と外箱内壁間には緩衝空間が形成される。このようにして，立ち上り部分につながる脚部分の両端の三角形の部分には尖端が欠損して平坦面となるため，外箱の内面を損傷させにくくなっている。
【先行技術文献】
【特許文献】
【０００５】
【特許文献１】再表２００８／１２６１９９号公報
【発明の概要】
【発明が解決しようとする課題】
【０００６】
上記従来の技術のように，携帯電話のような物品をシート部材やフィルム部材により覆って，輸送時に箱体の内部において位置ズレが生じにくくすることは知られている。たしかに，フィルム部材等を利用して物品を厳重に被覆することで，このフィルム等の張力によって，輸送時の衝撃を緩衝することができるため，輸送時における携帯電話の安全を保つことができる。しかしながら，上記のように，例えば携帯電話の修理を依頼する者には梱包作業の経験の乏しい者が多い。このような梱包作業に不慣れな者にとって，引用文献１の技術のようにフィルム等を利用して物品（携帯電話）を梱包する作業は，比較的困難なものとなっていた。また，フィルム等によって物品を厳重に被覆することにより，輸送時における製品の安全性は高まるものの，それを開封する際には，フィルムを引き剥がして物品を取り出す必要があり，物品の開封作業に手間がかかることとなっていた。
【０００７】
また，特にフィルムによって物品を覆う梱包形態の場合，物品を取り出す際には，そのフィルムが破れてしまったり，またフィルムが延びて変形してしまったりする場合が多い。このため，例えば，消費者が，携帯電話を安全性の高い梱包具に詰めて，修理事業者に輸送したとしても，修理事業者が梱包具から携帯電話を取り出す際には，フィルムが破れたり伸びたりすることとなる。従って，修理事業者は，修理後の携帯電話を同じ梱包具を用いて返送することができないという問題が生じていた。
【０００８】
さらに，上記のような従来技術において，例えば携帯電話の本体から電池を取り外した状態で搬送しようとした場合，これらの本体と電池とを同じフィルム内に包装してしまうと，搬送時に互いに接触して傷を付けてしまう恐れがある。このため，携帯電話の本体から電池を取り外した状態で搬送しようとするときには，これらの本体と電池とを別々に包装する作業を行う必要がある。しかしながら，携帯電話の本体と電池とを別々に包装する作業は大変な手間であり，作業の負担が増えるばかりか，包装資材を多く使用する必要があり，コスト的にも負担が大きいものとなっていた。
【０００９】
このため，現在では，衝撃を緩衝して複数の物品を安全に輸送することのできる包装体であって，輸送前に物品を詰め込む作業や，輸送後に物品を取り出す作業が容易である包装体が求められている。また，簡単に複数の物品を別々に包装することができ，包装資材のコストをも抑制することのできる包装体が求められている。
【課題を解決するための手段】
【００１０】
そこで，本発明の発明者は，上記の従来発明の問題点を解決する手段について鋭意検討した結果，物品を収納可能な複数の収納部材を連結して包装体を形成し，この包装体を段ボール箱などの箱体内に梱包して使用するという知見を得た。このように，包装体が複数の収納部材を有していれば，例えば携帯電話の本体や電池といった物品を別々に包装して搬送することが可能となる。そして，本発明者は，上記知見に基づけば，従来技術の課題を解決できることに想到し，本発明を完成させた。
具体的に説明すると，本発明は以下の構成を有する。
【００１１】
本発明の第１の側面は，複数の物品を同時に包装するための包装体に関する。
本発明の包装体は，物品を独立して収納可能な第１収納部材１０と第２収納部材２０と，を備える。
第１収納部材１０と第２収納部材２０のそれぞれは，上板１１，２１と，下板１２，２２と，ヒンジ部１３，２３と，左右の側縁部１４，２４と，を有している。
ヒンジ部１３，２３は，上板１１，２１と下板１２，２２の一端を連結する。
左右の側縁部１４，２４は，上板１１，２１と下板１２，２２がヒンジ部１３，２３において折り曲げられて互いに重なりあった状態において，上板１１，２１と下板１２，２２を接着するため，接着剤が塗布される。もしくは，左右の側縁部１４，２４は，超音波接着や，熱接着によって接着される。
なお，第１収納部材１０と第２収納部材２０は，上板１１，２１と下板１２，２２とが接着されていない空間に，物品を収納することができるようになっている。
そして，第１収納部材１０と第２収納部材２０は，上板１１，２１又は下板１２，２２の側縁部１４，２４から延出した連結部３０によって互いに連結されている。
【００１２】
上記構成のように，独立した収納空間を有する第１収納部材１０と第２収納部材２０とを，連結部３０を介して連結させることで，例えば携帯電話の本体と電池などの複数の物品を互いに干渉し合わないように独立して包装することが可能となる。また，第１収納部材１０と第２収納部材２０とが連結されていることで，同時に使用されるような複数の物品を，極めてコンパクトに収納することができるため，梱包資材の浪費を防止でき，且つ，輸送コストを低減させることができる。
【００１３】
本発明の包装体において，連結部３０は，第１収納部材１０と第２収納部材２０とを，折り重ねることができるように連結していることが好ましい。
【００１４】
上記構成のように，例えば連結部３０に折線を形成し，第１収納部材１０と第２収納部材２０とを２つ折りにして重ねることができるようにすることで，複数の物品をさらにコンパクトに包装及び搬送することができる。
【００１５】
本発明の包装体において，第１収納部材１０及び第２収納部材２０のそれぞれは，さらに，連結部３０とは反対側の側縁部１４，２４から延出した係合部１５，２５を，有することが好ましい。これにより，第１収納部材１０と第２収納部材２０は，連結部３０において折り重ねられた状態において，係合部１５，２５によって係合可能であることが好ましい。
【００１６】
上記構成のように，第１収納部材１０と第２収納部材２０とを２つ折りにした状態で，互いに係合させることで，輸送時などに第１収納部材１０と第２収納部材２０が開いて，輸送しにくくなるというような不具合を解消できる。
【００１７】
本発明の包装体において，第１収納部材１０と第２収納部材２０のうち少なくともいずれか一方のヒンジ部１３は，中折線１３ａと，２つの円弧状の折線１３ｂ，１３ｃを有することが好ましい。
中折線１３ａは，上板１１と下板１２を２つ折りにして重ね合わせるための直線状の折線である。
１つ目の円弧状の折線１３ｂは，中折線１３ａよりも上板１１側に位置し，上板１１側に向かって膨出した円弧状の折線である。
２つ目の円弧状の折線１３ｃは，中折線１３ａよりも下板１２側に位置し，下板１２側に向かって膨出した円弧状の折線である。
【００１８】
上記のように，ヒンジ部１３に，中折線１３ａだけでなく，２つの円弧状の折線１３ｂ，１３ｃを形成することで，収納部材の収納空間を膨らませることができる。このため，比較的厚みのある物品であっても，収納部材の収納空間に簡単に収納したり取り出したりすることができるようになる。
【００１９】
本発明の第２の側面は，上述した第１の側面に係る包装体を収納した梱包箱に関する。
本発明の梱包箱は，基本的に，上述した第１の側面に係る包装体１００と，包装体１００を支持する支持体２００と，支持体２００が収納される箱体３００と，を備える。
ここで，支持体２００は，下側開口部２１１が形成された下面２１０と，上側開口部２２１が形成された上面２２０と，を有する。
下面２１０は，箱体３００の底面３１０の方向に向かって折り曲げられる少なくとも２つの下脚フラップ２１２を有している
これにより，下面２１０と上面２２０との間で包装体１００を挟み込んだ状態で，支持体２００を箱体３００内に収納したときに，下脚フラップ２１２が，包装体１００と箱体３００の底面３１０間の空間を一定に保つようになる。
また，包装体１００に包装された物品が，下面２１０の下側開口部２１１及び上面２２０の上側開口部２２１が形成された位置において，中吊り状態で保持される。
【００２０】
上記構成のように，本発明の梱包箱では，支持体２００の下面２１０と上面２２０の間で，物品を包装する包装体１００を挟み込んで保持するものである。このため，梱包箱内に物品を詰め込む際には，物品を包装体１００内に収納し，この包装体１００を，支持体２００の下面２１０の上に載せ，その上に支持体２００の上面２２０を重ね合わせた後，支持体２００を箱体３００内に収納する。このようにして，簡単に物品を梱包できる。反対に，梱包箱内から物品を取り出す際には，支持体２００の上面２２０を取り外して包装体１００を取り上げ，この包装体１００内から物品を取り出せばよい。しかも，物品は，梱包箱内においては，支持体２００によって中吊り状態で保持されているため，輸送時の衝撃が加わりにくくなっている。また，支持体２００の下面２１０と箱体３００の底面３１０の間に生じた空間には，適宜，携帯電話の取扱説明書やその付属品を収納することも可能である。さらには，例えば，包装体１００を，硬質なプラスチック製のスリーブパックとして構成することにより，物品の輸送や返送の際に，本発明の梱包箱を繰り返し使用することが可能になる。
【００２１】
本発明の梱包箱において，支持体２００の下面２１０には，下側開口部２１１の内方に向かって延出する舌片２１３が形成されていることが好ましい。
これにより，包装体１００を下面２１０に載置したときに，包装体１００の第１収納部材１０と第２収納部材２０との間に，舌片２１３を挟み込むことが可能であることが好ましい。
【００２２】
上記構成のように，包装体１００の第１収納部材１０と第２収納部材２０との間に，支持体２００の舌片２１３を挟み込むようにすることで，包装体１００と支持体２００が連結して，包装体１００の支持状態が安定する。これにより，包装体１００に収納された物品をより安全に搬送することができるようになる。
【発明の効果】
【００２３】
上述したとおり，本発明によれば，衝撃を緩衝して複数の物品を安全に輸送することのできる包装体であって，輸送前に物品を詰め込む作業や，輸送後に物品を取り出す作業が容易である包装体を提供することができる。また，本発明によれば，簡単に複数の物品を別々に包装することができ，包装資材のコストをも抑制することのできる包装体を提供することができる
【図面の簡単な説明】
【００２４】
【図１】図１は，本発明に係る包装体の一実施形態を示す展開図である。
【図２】図２は，包装体の例を示す斜視図である。
【図３】図３は，包装体に物品を収納した状態の例を示す斜視図である。
【図４】図４は，本発明に係る包装体の他の実施形態を示す展開図である。
【図５】図５は，本発明に係る梱包箱を構成する支持体の実施形態を示す展開図である。
【図６】図６は，梱包体の全体を示した斜視図である。
【発明を実施するための形態】
【００２５】
以下，図面を用いて本発明を実施するための形態について説明する。本発明は，以下に説明する形態に限定されるものではなく，以下の形態から当業者が自明な範囲で適宜修正したものも含む。
なお，本願明細書において，「Ａ〜Ｂ」とは，「Ａ以上Ｂ以下」であることを意味する。
また，「長さ方向」と「幅方向」とは，平面的に互いに直交する方向である。
【００２６】
まず，本発明の第１の側面に係る包装体について説明する
図１は，本発明に係る包装体１００の一実施形態を示す平面展開図である。また，図２は，包装体の一実施形態を示す斜視図である。また，図３は，包装体の中に物品を収納した状態を示す斜視図である。これらの図においては，包装体１００がプラスチック製のスリーブパックとして構成された例を示している。
【００２７】
図１から図３に示されるように，包装体１００は，第１収納部材１０と第２収納部材２０とが，連結部３０を介して，一体的に連結されることで構成されている。
まず，図１に示されるように，第１収納部材１０は，第１上板１１と，第１下板１２とが，第１ヒンジ部１３を介して，一体的に連結されていることにより形成されている。同様に，第２収納部材２０は，第２上板２１と，第２下板２２とが，第２ヒンジ部２３を介して，一体的に連結されることにより，形成されている。
【００２８】
すなわち，第１収納部材１０及び第２収納部材２０は，それぞれ，平面状の上板１１，２１，及び平面状の下板１２，２２を有する。これらの上板１１，２１と下板１２，２２は，一辺が，ヒンジ部１３，２３を介して連結されている。例えば，図１に示した実施形態において，上板１１，２１と下板１２，２２は，その長さ方向の一端が，ヒンジ部１３，２３を介して連結されたものとなっている。
【００２９】
また，図１に示されるように，上板１１，２１と下板１２，２２は，それぞれ，ヒンジ部１３，２３によって連結された一辺の左右両側に，左右一対の側縁部１４，２４が形成されている。符号１４は，第１収納部材１０の第１上板１１と第１下板１２に形成された第１側縁部１４である。また，符号２４は，第２収納部材２０の第２上板２１と第２下板２２に形成された第２側縁部２４である。また，各側縁部１４，２４の間には，領域（中央領域）が設けられている。本実施形態において，一対の側縁部１４，２４は，上板１１，２１及び下板１２，２２の長さ方向に沿って延びる領域として形成されている。
【００３０】
また，図１に示されるように，各ヒンジ部１３，２３には，直線状の中折線１３ａ，２３ａが形成されている。本実施形態において，中折線１３ａ，２３ａは，上板１１，２１及び下板１２，２２の幅方向に沿って延びる折線となっている。このため，ヒンジ部１３，２３の中折線１３ａ，２３ａに従って折り曲げることで，上板１１，２１と下板１２，２２が，２つ折りとなって，互いに重ね合わされるようになっている。
【００３１】
ここで，上板１１，２１と下板１２，２２の側縁部１４，２４とに接着剤を塗布して，上板１１，２１と下板１２，２２とを重ね合わせることで，上板１１，２１と下板１２，２２が，側縁部１４，２４において結着する。また，側縁部１４，２４は，超音波接着や，熱接着により結着させることとしてもよい。ただし，側縁部１４，２４の間の領域には，接着剤が塗布されていない。これにより，図２及び図３に示されるように，上板１１，２１と下板１２，２２の間に，例えば携帯電話の本体や電池を収納するための収納空間が形成される。また，上板１１，２１と下板１２，２２は，互いに結着されることにより，ヒンジ部１３，２３が形成されている端部とは反対側の端部に，物品を収納するための開口が形成される。
【００３２】
さらに，図１に示されるように，各上板１１，２１と各下板１２，２２のそれぞれには，ヒンジ部１３，２３によってされた端部とは反対側の端部に，開閉部１６，２６が形成されている。開閉部１６，２６は蓋的な役割を担うものであり，各収納部材１０，２０内に物品を収納するための開口を，自由に開閉することができる。
【００３３】
また，図１に示されるように，第１収納部材１０の第１ヒンジ部１３と，第２収納部材２０の第２ヒンジ部２３のうち，少なくとも第１収納部材１０の第１ヒンジ部１３には，２つの円弧状の折線１３ｂ，１３ｃが形成されている。１つ目の円弧状の折線１３ｂは，中折線１３ａよりも上板１１側に位置しており，上板１１側に向かって膨出するように湾曲している。他方，２つ目の円弧状の折線１３ｃは，中折線１３ａよりも下板１２側に位置しており，下板１２側に向かって膨出するように湾曲している。このように，第１ヒンジ部１３は，中折線１１ａの両脇に２つの円弧状の折線１３ｂ，１３ｃを有する。
【００３４】
また，図１に示されるように，少なくとも第１収納部材１０において，第１上板１１と開閉部１６との境界位置には，第１上板１１側に向かって膨出する円弧状の折線１６ａが形成されている。同様に，第１下板１２と開閉部１６との境界位置には，第１下板１２側に向かって膨出する円弧状の折線１６ｂが形成されている。
【００３５】
このように，少なくとも第１収納部材１０では，第１上板１１と第１下板１２のそれぞれについて，互いに対向した位置に，対となる円弧状の折線１３ｂ，１３ｃ，１６ａ，１６ｂが形成されている。これにより，例えば図２及び図３に示されるように，第１上板１１と第１下板１２とを重ね合わせて，第１側縁部１４において結着させた際に，この左右の第１側縁部１４の間の領域が立体的に湾曲して膨らむようになる。このため，第１収納部材１０内には，比較的厚みのある物品を収納することができる。
なお，図１〜図３に示した実施形態では，第１収納部材１０の第１ヒンジ部１３についてのみ円弧状の折線を形成することとしているが，第２収納部材２０の第２ヒンジ部２３にも，円弧状の折線を形成することも可能である。
【００３６】
図２及び図３に示されるように，第１収納部材１０及び第２収納部材２０のそれぞれについて，上板１１，２１と下板１２，２２を重ね合わせて結着させることで，左右の側縁部１４，２４の間が膨らんだ状態となる。図２及び図３に示されるように，上板１１，２１と下板１２，２２が膨らむことにより，第１収納部材１０と第２収納部材２０のそれぞれに，立体的な収納空間（ポケット）が形成される。そして，第１収納部材１０と第２収納部材２０の収納空間内には，例えば携帯電話の本体や電池等の物品Ｐを，別々に収納することができる。また，第１収納部材１０と第２収納部材２０について，各開閉部１６，２６は開閉可能である。このため，各開閉部１６，２６を開閉することで，物品Ｐを収納空間内に収納したり，収納空間から物品Ｐを取り出したりすることができる。
【００３７】
さらに，本発明に係る包装体１００は，上述した第１収納部材１０と第２収納部材２０とを連結する連結部３０を有している。例えば，本実施形態において，連結部３０は，第１収納部材１０の第１上板１１の側縁部１４と，第２収納部材２０の第２上板２１の側縁部１４とを，連結している。このように，連結部３０は，上板１１，２１又は下板１２，２２の側縁部１４，２４から延出するように形成されている。本実施形態において，連結部３０は，側縁部１４，２５から幅方向外側に向かって延出している。このようにして，第１収納部材１０と第２収納部材２０は，連結部３０を介して，一体に連結されている。
【００３８】
さらに，連結部３０には，側縁部１４，２４の長さ方向と一致する方向に沿って延びる直線的な折線３１が形成されている。この折線３１は，少なくとも１本以上形成されていることが好ましい。図１に示されるように，折線３１は，平行した２本の折線であってもよい。
【００３９】
このように，連結部３０に１又は複数本の折線３１を形成することで，図２及び図３に示されるように，第１収納部材１０と第２収納部材２０を２つ折りにして，重ね合わせることができる。第１収納部材１０と第２収納部材２０とが折り畳まれることで，これらによって構成される包装体１００をコンパクトにすることができる。
【００４０】
また，図１に示されるように，第１収納部材１０及び第２収納部材２０のそれぞれは，連結部３０とは反対側の側縁部１４，２４から延出した係合部１５，２５を，有していることが好ましい。図１に示した実施形態において，第１収納部材１０の第１上板１１の側縁部１４から延出するように，第１係合部１５が形成されている。また，第２収納部材２０の第２上板２１の側縁部２４から延出するように，第２係合部２５が形成されている。図１に示された実施形態において，第１係合部１５は，差込片１５ａを有し，第２係合部２５は，差込孔２５ａを有している。このため，第１収納部材１０と第２収納部材２０とを，連結部３０に形成された折線３１に従って２つ折りにした後，第１係合部１５の差込片１５ａを，第２係合部２５の差込孔２５ａに差し込むことで，第１係合部１５と第２係合部２５とが互いに係合する。これにより，第１収納部材１０と第２収納部材２０を重ね合わせた状態が安定する。
【００４１】
また，図４では，上記した図１とは別の実施形態に係る包装体１００の展開図を示している。図４では，特に，第１係合部１５と第２係合部２５の別の実施形態を示している。図４に示された実施形態において，第１係合部１５と第２係合部２５は，共にスリット（切り込み）１５ｂ，２５ｂが形成されている。このため，第１収納部材１０と第２収納部材２０とを，連結部３０に形成された折線３１に従って２つ折りにした後，第１係合部１５と第２係合部１５のスリット１５ｂ，２５ｂを互いに噛み合わせることで，第１係合部１５と第２係合部２５とが係合する。このような実施形態によっても，第１収納部材１０及び第２収納部材２０を係合させて，第１収納部材１０と第２収納部材２０を重ね合わせた状態を安定させることができる。
【００４２】
上述した包装体１００は，公知の材料で形成することができるが，特にプラスチック製であることが好ましい。例えば，包装体１００を形成するプラスチック材料としては，ポリプロピレン（ＰＰ）等のポリオレフィン系樹脂，ポリエチレンテレフタレート（ＰＥＴ）等のポリエステル系樹脂，ポリアミド系樹脂，及びポリ塩化ビニル（ＰＶＣ）系樹脂が挙げられる。また，包装体１００は，物品Ｐをしっかりと保持することができ，且つ，繰り返しの使用にも耐えられる程度の剛性を有していることが好ましい。例えば，包装体１００を形成するプラスチック製のシートは，その厚さが，０．１ｍｍ〜１ｍｍであることが好ましく，０．２ｍｍ〜１ｍｍ又は０．３ｍｍ〜１ｍｍであることがより好ましく，０．４ｍｍ〜１ｍ又は０．５ｍｍ〜１ｍｍであることが特に好ましい。また，包装体１００を形成するプラスチック材料は，包装体１００の内部を視認できるように，透明又は半透明であることが好ましい。
【００４３】
続いて，本発明の第２の側面に係る梱包箱について説明する。
図５は，本発明に係る梱包箱に含まれる支持体２００の一実施形態を示す平面展開図である。また，図６は，本発明に係る梱包箱４００全体を示す斜視図である。
図６に示されるように，梱包箱４００は，包装体１００と，支持体２００と，箱体３００とを含むものである。
【００４４】
図５に示されるように，支持体２００は，下面２１０と上面２２０とを有している。本実施形態において，下面２１０と上面２２０は，共に四角形（長方形）であり，同一の形状及び大きさとなっている。また，下面２１０の一辺と上面２２０の一辺は，中央折線２３０を介して連結されている。中央折線２３０は，一本の直線状の折線であってもよいし，図５に示すように二本の平行な直線状の折線により形成されていてもよい。また，下面２１０は，その中央部分に，下側開口部２１１が形成されている。同様に，上面２２０は，その中央部分に，上側開口部２２１が形成されている。これらの下側開口部２１１と上側開口部２２１とは，下面２１０と上面２２０とを中央折線２３０において折り畳んで二つ折りにしたときに，一の連通した開口部を形成するように，互いに対応した形状や大きさとなっている。また，下側開口部２１１と上側開口部２２１は，例えば，下面２１０と上面２２０のそれぞれの面積に対して，３０％〜９０％，又は５０％〜８０％程度の開口面積を有していることが好ましい。この下側開口部２１１と上側開口部２２１には，それぞれ，図６に示されるように，包装体１００の物品を収納する膨らみ部分が嵌り込むようになっている。
【００４５】
また，図５に示されるように，四角形状の下面２１０には，４辺のうちの２辺以上に，折線を介して，下脚フラップ２１２が形成されている。図５に示した実施形態において，四角形状の下面２１０には，中央折線２３０が形成された１辺を除く他の３辺に，それぞれ，下脚フラップ２１２が形成されている。各下脚フラップ２１２は，例えば図５に示されるように略台形状とすればよい。また，図６に示されるように，各下脚フラップ２１２は，下方に向かって折り曲げることが可能になっている。また，各下脚フラップ２１２を，下面２１０に対して垂直に折り曲げたときの高さは，すべて一致していることが好ましい。
【００４６】
また，図５に示されるように，上面２２０にも，上脚フラップ２２２が形成されていることが好ましい。すなわち，四角形状の上面２２０には，４辺のうちの２辺以上に，折線を介して，上脚フラップ２２２が形成されていることが好ましい。図５に示した実施形態において，四角形状の上面２２０には，中央折線２３０が形成された１辺を除く他の３辺に，それぞれ，上脚フラップ２２２が形成されている。各上脚フラップ２２２は，例えば図５に示されるように略台形状とすればよい。また，図６に示されるように，各上脚フラップ２２２は，上方に向かって折り曲げることが可能になっている。また，各上脚フラップ２２２を，上面２２０に対して垂直に折り曲げたときの高さは，すべて一致していることが好ましい。
【００４７】
また，図５に示されるように，下脚フラップ２１２の高さＨ１と，上脚フラップ２２２の高さＨ２を比較した場合に，下脚フラップ２１２の高さＨ１の方が，上脚フラップ２２２の高さＨ２よりも高いものであることが好ましい（Ｈ１＞Ｈ２）。このように，下脚フラップ２１２の高さを上脚フラップ２２２の高さよりも高くすることで，支持体２００の下面２１０の下方の空間が広がり，その空間に，物品の説明書や付属品等を入れやすくなる。また，支持体２００の上面２２０に形成された上脚フラップ２２２の高さを低くすることで，物品を取り出す際に，上面２２０を開きやすくなる。例えば，下脚フラップ２１２の高さＨ１は，上脚フラップ２２２の高さＨ２に対し，１２０％〜６００％であることが好ましく，１５０％〜５００％，又は２００％〜４００％であることが特に好ましい。
【００４８】
また，図５に示されるように，支持体２００の下面２１０には，下側開口部２１１の内方に向かって延出する舌片２１３が形成されている。図６に示されるように，舌片２１３は，包装体１００を下面２１０の上に載置したときに，包装体１００を構成する第１収納部材１０と第２収納部材２０との間に挟み込まれる。これにより，包装体１００を支持体２００の下面２１０に載置したときの安定性が向上する。舌片２１３は，例えば，図５に示されるように，支持体２００の下面に形成された略コの字型（又は略逆コの字型）の切り込みと，直線状の折線とによって周囲を画定された領域である。このような舌片２１３は，下側開口部２１１の内方に向かって延出するように形成することができる。
【００４９】
また，図５に示されるように，上面２２０には，中央折線２３０に隣接する２辺に形成された上脚フラップ２２２と，この中央折線２３０との間に，当該上脚フラップ２２２が形成されていない間隙２２３が設けられている。すなわち，上面２２０のうち，中央折線２３０と直交する２辺には，中央折線２３０から一定の間隙２２３をおいて，上脚フラップ２２２が形成されている。この間隙２２３の長さＬは，上脚フラップ２２２の高さＨ２以上であることが好ましい（Ｌ≧Ｈ２）。例えば，長さＬは，上脚フラップ２２２の高さＨ２に対し，１００％〜２００％，１０５％〜１５０％，又は１１０％〜１３０％とすればよい。このように，中央折線２３０の近傍に上脚フラップ２２２を形成しない間隙２２３を設けることで，箱体３００内に支持体２００を収納した状態であっても，支持体２００の上面２２０のみを，中央折線２３０を軸として簡単に開くことできる。また，上面２２０と下面２１０を繋げたままの状態としておくことができる。
【００５０】
図６は，立体的に組み立てた支持体２００の下面２１０に，包装体１００を載置した状態を示している。図６に示されるように，支持体２００の下面２１０に形成された下脚フラップ２１２は，下方に向かって折り曲げられる。これにより，各下脚フラップ２１２により下面２１０が支持され，下面２１０と地面の間には空間が生じるようになっている。また，支持体２００の上面２２０に形成された上脚フラップ２２２は，上方に向かって折り曲げられる。また，図６に示されるように，下面２１０に形成されている下側開口部２１１には，包装体１００が嵌り込む。このとき，包装体１００の側縁部１４，２４が，下面２１０に直接当接するようになっており，包装体１００の側縁部１４，２４の間の領域が下面２１０の下側開口部２１１内に位置している。また，図６に示されるように，下面２１０と上面２２０は中央折線２３０において連結しているため，この中央折線２３０において上面２２０を折り曲げることにより，下面２１０と上面２２０の間に，包装体１００を挟み込むことができる。具体的に説明すると，下面２１０と上面２２０の間には，包装体１００の側縁部１４，２４が挟み込まれる。包装体１００のうち側縁部１４，２４の間の領域は，下面２１０の下側開口部２１１と上面２２０の上側開口部２２１に位置することとなる。これにより，包装体１００によって包装されている物品Ｐは，中吊り状態で保持される。
【００５１】
また，図６は，包装体１００が載置された支持体２００を，箱体３００内に収納する状態を示している。図６に示されるように，箱体３００は，基本的に，底面３１０と，底面３１０に対面する天面３２０と，底面３１０と天面３２０を繋ぐ側面３３０を有する。図６に示されるように，箱体３００の底面３１０（天面３２０）の形状は，支持体２００の下面２１０（上面２２０）の形状に合わせて，四角形（矩形）であることが好ましい。特に，箱体３００内に支持体２００を収納したときに，支持体２００の下面２１０及び上面２２０が，箱体３００の側面３３０に内接するように，箱体３００の大きさが設計されていることが好ましい。
【００５２】
また，箱体３００としては，例えば図６に示されるように，一般的なＪＩＳ規格によるＡ式箱を利用すればよい。Ａ式箱とは，図６に示されるように，少なくとも天面３２０が，一対の内フラップ３２１と，一対の外フラップ３２２とを重ね合わせることにより形成されるタイプの箱である。なお，底面３１０については，天面３２０と同様に，一対の内フラップと一対の外フラップを重ね合わせることにより構成されるものであってもよいし，いわゆるワンタッチ底や地獄底タイプとすることも可能である。また，その他，箱体３００としては，ＪＩＳ規格によるＢ式や，Ｃ式箱，Ｅ式箱，Ｎ式箱を適宜利用することも可能である。
【００５３】
また，箱体３００は一定の高さを有する。すなわち，箱体３００の高さは，図６に示されるように，箱体３００の側面３３０の高さＨ３ある。このとき，支持体２００における下脚フラップ２１２の高さＨ１と上脚フラップ２２２の高さＨ２の和は，箱体３００における側面３３０の高さＨ３に対し，８０％〜１００％，９０％〜１００％，又は９５％〜１００％であることが好ましい。すなわち，支持体２００における下脚フラップ２１２の高さＨ１と上脚フラップ２２２の高さＨ２の和は，箱体３００における側面３３０の高さＨ３と，略等しい（誤差±５％以内である）ことが好ましい。このように，支持体２００における下脚フラップ２１２と上脚フラップ２２２の高さを，箱体３００の高さと一致させることで，支持体２００を箱体３００内に収納したときに，支持体２００が上下に揺れることを防止できる。
【００５４】
また，図６に示されるように，支持体２００は，その下面２１０及び上面２２０が，箱体３００の側面３３０に内接する状態で収納される。このとき，支持体２００の下脚フラップ２１２と上脚フラップ２２２は，箱体３００の側面３３０に対し面接触するものであることが好ましい。ここで，面接触とは，フラップの一点のみが接触する点接触や，フラップの先端のみが接触する線接触ではなく，平面と平面とが互いにある程度の面積をもって接触する接触形態をいう。このように，支持体２００の下脚フラップ２１２及び上脚フラップ２２２が，箱体３００における側面３３０の内面に面接触することで，梱包物の輸送時において箱体３００の中で支持体２００の位置がずれたり，支持体２００が揺れ動いたりすることを防止できる。また，図６に示されるように，支持体２００によって包装体１００を支持することにより，包装体１００内の物品Ｐが中吊り状態で，箱体３００内に梱包されるようになる。被梱包体Ｐの周囲においては，支持体２００がクッションの役割を果たすため，輸送時などにおいて箱体３００に外部からの衝撃が加わった場合であっても，その衝撃は物品Ｐには直接伝わりにくくなっている。従って，本発明の梱包箱１０を利用することにより，物品Ｐを安全に輸送することができる。
【００５５】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【産業上の利用可能性】
【００５６】
本発明は，携帯電話のような物品を安全に輸送するための包装体や梱包箱に関するものである。このため，本発明は，物品の輸送業や，包装体及び梱包箱の製造業などにおいて好適に利用し得る。
【符号の説明】
【００５７】
１０…第１収納部材            １１…第１上板      １２…第１下板
１３…第１ヒンジ部            １３ａ…中折線      １３ｂ…円弧状の折線（上板側）
１３ｃ…円弧状の折線（下板側）１４…第１側縁部    １５…第１係合部
１６…第１開閉部              
２０…第２収納部材            ２１…第２上板      ２２…第２下板
２３…第２ヒンジ部            ２３ａ…中折線      ２４…第２側縁部
２５…第２係合部              ２６…第２開閉部    
３０…連結部                  ３１…折線          １００…包装体
２００…支持体                ２１０…下面        ２１１…下側開口部
２１２…下脚フラップ          ２１３…舌片        ２２０…上面
２２１…上側開口部            ２２２…上脚フラップ  ２２３…間隙
２３０…中央折線              
３００…箱体                  ３１０…底面        ３２０…天面
３２１…内フラップ            ３２２…外フラップ  ３０…側面
４００…梱包箱
【図１】
2015077977.tif 000003
【図２】
2015077977.tif 000004
【図３】
2015077977.tif 000005
【図４】
2015077977.tif 000006
【図５】
2015077977.tif 000007
【図６】
2015077977.tif 000008